(57)【要約】【課題】本発明は、静止画モードと動画モードとを切り替えて駆動される液晶パネルにおいて、フリッカや焼付きの発生を抑制することができる画像表示技術を提供する。【解決手段】プロジェクタ１０は、前回のフレーム走査で画素電極２２２に蓄えられた電荷を次回のフレーム走査まで保持する静止画モードと、前回のフレーム走査で画素電極２２２に蓄えられた電荷を次回のフレーム走査の前に暗色レベルに変更する動画モードとを切り替えて液晶パネル２０を駆動し、動画モードで液晶パネル２０を駆動する場合、コモン電圧Ｖｃを、静止画モードとは異なるレベルに設定する。【選択図】図３
2008070783.tif 000002
【特許請求の範囲】
【請求項１】
マトリックス状に配置された複数の画素電極と、該複数の画素電極に共通して対向するコモン電極とを有する液晶パネルを備え、該液晶パネルに表示した画像を投影するプロジェクタであって、
前記画像のフレーム毎に前記複数の画素電極を走査するフレーム走査を行う液晶駆動部と、
前回のフレーム走査で前記画素電極に蓄えられた電荷を、該画素電極に対する次回のフレーム走査まで保持する第１のモードで、前記液晶駆動部を制御する第１の駆動制御部と、
前回のフレーム走査で前記画素電極に蓄えられた電荷を、該画素電極に対する次回のフレーム走査の前に、一定の暗色に対応した暗色レベルに変更する第２のモードで、前記液晶駆動部を制御する第２の駆動制御部と、
前記第１のモードによる制御と前記第２のモードによる制御とを切り替えるモード切替部と、
前記第２のモードで前記液晶駆動部を制御する場合、前記コモン電極に印加されるコモン電圧を、前記第１のモード時とは異なるレベルに設定するコモン電圧設定部と
を備えるプロジェクタ。
【請求項２】
前記第２のモード時におけるコモン電圧のレベルは、前記第１のモード時におけるコモン電圧のレベルよりも低い請求項１記載のプロジェクタ。
【請求項３】
請求項１または２記載のプロジェクタであって、
前記第２の駆動制御部は、
前記画像に含まれるオブジェクトの動き量を検出する動き量検出部と、
前記画素電極に蓄えられた電荷が前記暗色レベルに変更されるまで保持される電荷保持期間の長さを、前記検出された動き量に基づいて設定する保持期間設定部と
を備えるプロジェクタ。
【請求項４】
前記コモン電圧設定部は、前記電荷保持期間の長さに応じて、前記第２のモード時におけるコモン電圧のレベルを設定する保持期間対応部を備える請求項３記載のプロジェクタ。
【請求項５】
前記保持期間対応部は、前記第２のモード時におけるコモン電圧のレベルとして、前記電荷保持期間の第１の長さに応じたレベルに基づいて、前記電荷保持期間の第２の長さに応じたレベルを補完するレベル補完部を備える請求項４記載のプロジェクタ。
【請求項６】
前記第２のモード時におけるコモン電圧のレベルは、前記電荷保持期間が短くなるに連れて低くなる請求項３ないし５のいずれか記載のプロジェクタ。
【請求項７】
請求項１ないし６のいずれか記載のプロジェクタであって、
前記コモン電圧設定部は、
予め設定された電圧レベルを記憶する記憶部と、
前記記憶部に記憶された電圧レベルに基づいて、前記第２のモード時におけるコモン電圧のレベルを設定する既定値設定部と
を備えるプロジェクタ。
【請求項８】
請求項１ないし７のいずれか記載のプロジェクタであって、
前記コモン電圧設定部は、
前記投影された画像の輝度を検出する輝度検出部と、
前記検出した輝度に基づいて、前記第２のモード時におけるコモン電圧のレベルを設定する輝度対応設定部と
を備えるプロジェクタ。
【請求項９】
マトリックス状に配置された複数の画素電極と、該複数の画素電極に共通して対向するコモン電極とを有する液晶パネルを備え、該液晶パネルに画像を表示する画像表示装置であって、
前記画像のフレーム毎に前記複数の画素電極を走査するフレーム走査を行う液晶駆動部と、
前回のフレーム走査で前記画素電極に蓄えられた電荷を、該画素電極に対する次回のフレーム走査まで保持する第１のモードで、前記液晶駆動部を制御する第１の駆動制御部と、
前回のフレーム走査で前記画素電極に蓄えられた電荷を、該画素電極に対する次回のフレーム走査の前に、一定の暗色に対応した暗色レベルに変更する第２のモードで、前記液晶駆動部を制御する第２の駆動制御部と、
前記第１のモードによる制御と前記第２のモードによる制御とを切り替えるモード切替部と、
前記第２のモードで前記液晶駆動部を制御する場合、前記コモン電極に印加されるコモン電圧を、前記第１のモード時とは異なるレベルに設定するコモン電圧設定部と
を備える画像表示装置。
【請求項１０】
マトリックス状に配置された複数の画素電極と、該複数の画素電極に共通して対向するコモン電極とを有する液晶パネルを駆動する方法であって、
前記複数の画素電極に接続された液晶駆動回路が、前記画像のフレーム毎に前記複数の画素電極を走査するフレーム走査を実行し、
前回のフレーム走査で前記画素電極に蓄えられた電荷を該画素電極に対する次回のフレーム走査まで保持する第１のモードと、前回のフレーム走査で前記画素電極に蓄えられた電荷を該画素電極に対する次回のフレーム走査の前に一定の暗色に対応した暗色レベルに変更する第２のモードとを切り替えて、コンピュータが前記液晶駆動回路を制御し、
前記第２のモードで前記液晶駆動部を制御する場合、コンピュータが、前記コモン電極に印加されるコモン電圧を、前記第１のモード時とは異なるレベルに設定する方法。
【発明の詳細な説明】
【技術分野】
【０００１】
本発明は、液晶パネルを用いた画像表示技術に関する。
【背景技術】
【０００２】
液晶パネルは、光源から液晶パネルを透過させた光をスクリーンに投影して画像を表示するプロジェクタや、液晶パネルに画像を表示する画像表示装置などの表示装置に利用される。液晶パネルとしては、アクティブマトリックス液晶（Active Matrix Liquid Crystal）パネルの一つであるＴＦＴ液晶（Thin Film Transistor Liquid Crystal）パネルが知られている。ＴＦＴ液晶パネルは、マトリックス状に配置された複数の画素電極と、該複数の画素電極に共通して対向するコモン電極とを有し、画像のフレーム毎に複数の画素電極を走査するフレーム走査によってパネル上に画像が表示される。
【０００３】
従来、ＴＦＴ液晶パネルを用いた動画表示における残像（動画ボケ）を抑制するために、静止画を表示する場合の静止画モードに対して、動画を表示する場合の動画モードとして、前回のフレーム走査で画素電極に蓄えられた電荷を、その画素電極に対する次回のフレーム走査の前に、一定の暗色に対応した暗色レベルに変更する技術（下記特許文献１）が提案されていた。なお、コモン電極に印加されるコモン電圧は、表示画像のちらつき（フリッカ）や焼付きを防止するために、製造時の調整工程において、調整用の静止画（例えば、中間調のラスタパターン）をパネル上に表示させることによって、液晶パネルの個体毎に適切な値に予め設定されていた。
【０００４】
【特許文献１】特開２００６−１０６６８９号公報
【発明の開示】
【発明が解決しようとする課題】
【０００５】
しかしながら、静止画を基準に予め設定されたコモン電圧が、暗色レベルを用いた動画表示に必ずしも適切であるとは限らず、従来技術では、動画表示の際にフリッカや焼付きが発生してしまう場合があるという問題があった。
【０００６】
本発明は、上記した課題を踏まえ、静止画モードと動画モードとを切り替えて駆動される液晶パネルにおいて、フリッカや焼付きの発生を抑制することができる画像表示技術を提供することを目的とする。
【課題を解決するための手段】
【０００７】
上述した課題を解決するため、本発明のプロジェクタは、マトリックス状に配置された複数の画素電極と、該複数の画素電極に共通して対向するコモン電極とを有する液晶パネルを備え、該液晶パネルに表示した画像を投影するプロジェクタであって、前記画像のフレーム毎に前記複数の画素電極を走査するフレーム走査を行う液晶駆動部と、前回のフレーム走査で前記画素電極に蓄えられた電荷を、該画素電極に対する次回のフレーム走査まで保持する第１のモードで、前記液晶駆動部を制御する第１の駆動制御部と、前回のフレーム走査で前記画素電極に蓄えられた電荷を、該画素電極に対する次回のフレーム走査の前に、一定の暗色に対応した暗色レベルに変更する第２のモードで、前記液晶駆動部を制御する第２の駆動制御部と、前記第１のモードによる制御と前記第２のモードによる制御とを切り替えるモード切替部と、前記第２のモードで前記液晶駆動部を制御する場合、前記コモン電極に印加されるコモン電圧を、前記第１のモード時とは異なるレベルに設定するコモン電圧設定部とを備えることを特徴とする。このプロジェクタによれば、静止画モードである第１のモードと、動画モードである第２のモードとの切り替えに応じて、各モードに対応するコモン電圧を設定することができる。これによって、暗色レベルの挿入に伴うフリッカや焼付きの発生を抑制することができる。
【０００８】
上述のプロジェクタは、以下の形態を採ることもできる。例えば、前記第２のモード時におけるコモン電圧のレベルは、前記第１のモード時におけるコモン電圧のレベルよりも低いとしても良い。これによって、暗色レベルが挿入される場合にコモン電圧のレベルが低くなるため、フリッカや焼付きの原因となる液晶印加電圧の歪みを軽減することができる。
【０００９】
また、前記第２の駆動制御部は、前記画像に含まれるオブジェクトの動き量を検出する動き量検出部と、前記画素電極に蓄えられた電荷が前記暗色レベルに変更されるまで保持される電荷保持期間の長さを、前記検出された動き量に基づいて設定する保持期間設定部とを備えても良い。これによって、液晶パネルに表示される動画像の内容に応じて、残像（動画ボケ）の発生を効果的に抑制することができる。
【００１０】
また、前記コモン電圧設定部は、前記電荷保持期間の長さに応じて、前記第２のモード時におけるコモン電圧のレベルを設定する保持期間対応部を備えても良い。これによって、電荷保持期間の長さの変更に伴うフリッカや焼付きの発生を抑制することができる。
【００１１】
また、前記保持期間対応部は、前記第２のモード時におけるコモン電圧のレベルとして、前記電荷保持期間の第１の長さに応じたレベルに基づいて、前記電荷保持期間の第２の長さに応じたレベルを補完するレベル補完部を備えても良い。これによって、既知のコモン電圧レベルに基づいて、未知のコモン電圧レベルを求めることができるため、電荷保持期間の長さに応じてコモン電圧レベルをより詳細に設定することができる。
【００１２】
また、前記第２のモード時におけるコモン電圧のレベルは、前記電荷保持期間が短くなるに連れて低くなるとしても良い。これによって、暗色レベルの期間が長くなるに連れてコモン電圧のレベルが低くなるため、フリッカや焼付きの原因となる液晶印加電圧の歪みを効果的に軽減することができる。
【００１３】
また、前記コモン電圧設定部は、予め設定された電圧レベルを記憶する記憶部と、前記記憶部に記憶された電圧レベルに基づいて、前記第２のモード時におけるコモン電圧のレベルを設定する既定値設定部とを備えても良い。これによって、予め設定された電圧レベルに基づいて、暗色レベルの挿入に対応したコモン電圧を設定することができる。
【００１４】
また、前記コモン電圧設定部は、前記投影された画像の輝度を検出する輝度検出部と、前記検出した輝度に基づいて、前記第２のモード時におけるコモン電圧のレベルを設定する輝度対応設定部とを備えても良い。これによって、投影された画像の輝度に応じて、暗色レベルの挿入に対応したコモン電圧を設定することができる。
【００１５】
前述した課題を解決するため、本発明の画像表示装置は、マトリックス状に配置された複数の画素電極と、該複数の画素電極に共通して対向するコモン電極とを有する液晶パネルを備え、該液晶パネルに画像を表示する画像表示装置であって、前記画像のフレーム毎に前記複数の画素電極を走査するフレーム走査を行う液晶駆動部と、前回のフレーム走査で前記画素電極に蓄えられた電荷を、該画素電極に対する次回のフレーム走査まで保持する第１のモードで、前記液晶駆動部を制御する第１の駆動制御部と、前回のフレーム走査で前記画素電極に蓄えられた電荷を、該画素電極に対する次回のフレーム走査の前に、一定の暗色に対応した暗色レベルに変更する第２のモードで、前記液晶駆動部を制御する第２の駆動制御部と、前記第１のモードによる制御と前記第２のモードによる制御とを切り替えるモード切替部と、前記第２のモードで前記液晶駆動部を制御する場合、前記コモン電極に印加されるコモン電圧を、前記第１のモード時とは異なるレベルに設定するコモン電圧設定部とを備えることを特徴とする。この画像表示装置によれば、静止画モードである第１のモードと、動画モードである第２のモードとの切り替えに応じて、各モードに対応するコモン電圧を設定することができる。これによって、暗色レベルの挿入に伴うフリッカや焼付きの発生を抑制することができる。
【００１６】
前述した課題を解決するため、本発明の液晶駆動方法は、マトリックス状に配置された複数の画素電極と、該複数の画素電極に共通して対向するコモン電極とを有する液晶パネルを駆動する方法であって、前記複数の画素電極に接続された液晶駆動回路が、前記画像のフレーム毎に前記複数の画素電極を走査するフレーム走査を実行し、前回のフレーム走査で前記画素電極に蓄えられた電荷を該画素電極に対する次回のフレーム走査まで保持する第１のモードと、前回のフレーム走査で前記画素電極に蓄えられた電荷を該画素電極に対する次回のフレーム走査の前に一定の暗色に対応した暗色レベルに変更する第２のモードとを切り替えて、コンピュータが前記液晶駆動回路を制御し、前記第２のモードで前記液晶駆動部を制御する場合、コンピュータが、前記コモン電極に印加されるコモン電圧を、前記第１のモード時とは異なるレベルに設定することを特徴とする。この液晶駆動方法によれば、静止画モードである第１のモードと、動画モードである第２のモードとの切り替えに応じて、各モードに対応するコモン電圧を設定することができる。これによって、暗色レベルの挿入に伴うフリッカや焼付きの発生を抑制することができる。
【００１７】
本発明の形態は、プロジェクタ，画像表示装置，液晶駆動方法に限るものではなく、例えば、プロジェクタの制御方法、プロジェクタを制御する機能をコンピュータに実現させるためのプログラム、画像表示装置の制御方法、画像表示装置を制御する機能をコンピュータに実現させるためのプログラム、液晶パネルを駆動する液晶駆動回路、液晶パネルを制御する機能をコンピュータに実現させるためのプログラムなどの他の形態に適用することもできる。また、本発明は、前述の形態に何ら限定されるものではなく、本発明の趣旨を逸脱しない範囲内において様々な形態で実施し得ることは勿論である。
【発明を実施するための最良の形態】
【００１８】
以上説明した本発明の構成および作用を一層明らかにするために、以下本発明を適用した画像表示技術について説明する。
【００１９】
Ａ．第１の実施例：
図１は、第１の実施例におけるプロジェクタ１０の構成を示す説明図である。プロジェクタ１０は、アクティブマトリックス方式で構成された液晶パネル２０と、液晶パネル２０の背面に光を照射する照明光学系部１４０と、照明光学系部１４０から液晶パネル２０を通過して変調された光をスクリーンに投影する投影光学系部１５０とを備える。
【００２０】
図２は、液晶パネル２０の詳細構成を示す説明図である。液晶パネル２０は、液晶層２４を間に挟むガラス基板２２，２６を備える。ガラス基板２２には、マトリックス状に配置された複数の画素電極２２２と、画素電極２２２の個々に対応する複数のＴＦＴ（Thin Film Transistor）２２４と、列方向に配列されＴＦＴ２２４にソース入力を行う複数のデータ線２２５と、行方向に配列されＴＦＴ２２４にゲート入力を行う複数のゲート線２２７とが形成されている。ガラス基板２６には、複数の画素電極２２２の全てに共通して対向するコモン電極（対向電極）２６２が形成されている。
【００２１】
図１の説明に戻り、プロジェクタ１０は、液晶パネル２０を駆動する構成として、液晶パネル２０の駆動に関する各部を制御する液晶制御部１１０と、液晶パネル２０のデータ線２２５を駆動するデータ線駆動回路１３２と、液晶パネル２０のゲート線２２７を駆動するゲート線駆動回路１３４と、コモン電極２６２に印加されるコモン電圧Ｖｃを供給するコモン電圧供給部１３８とを備える。本実施例では、液晶制御部１１０は、液晶パネル２０の駆動に特化した回路が形成されたＡＳＩＣ(Application Specified IC)を含む。本実施例では、データ線駆動回路１３２およびゲート線駆動回路１３４は、種々の論理回路が形成された基板を含む。本実施例では、コモン電圧供給部１３８は、出力電圧のレベルを変更可能な電源ＩＣを含む。
【００２２】
プロジェクタ１０は、液晶パネル２０に映像信号を供給する構成として、デジタル映像信号を外部から取り込む映像信号入力部１２０と、外部から取り込んだ映像信号にプロジェクタ１０の特性に適合させる処理（例えば、ガンマ補正）を行う映像信号処理回路１２２と、映像信号処理回路１２２で処理された映像信号をアナログ信号に変換するＤ／Ａ変換器１２４と、液晶制御部１１０からのタイミング信号に基づいて、アナログ信号に変換された映像信号の極性を反転させる極性反転回路１２６と、極性反転回路１２６からの映像信号を増幅してデータ線駆動回路１３２に出力するビデオアンプ１２８とを備える。
【００２３】
データ線駆動回路１３２には、画素電極２２２を駆動する水平方向のタイミングを示す水平タイミング信号Ｔｈが液晶制御部１１０から出力され、ゲート線駆動回路１３４には、画素電極２２２を駆動する垂直方向のタイミングを示す垂直タイミング信号Ｔｖが液晶制御部１１０から出力される。液晶制御部１１０が水平タイミング信号Ｔｈおよび垂直タイミング信号Ｔｖを順次出力することによって、液晶パネル２０に表示される画像のフレーム毎に複数の画素電極２２２を走査するフレーム走査が実施される。
【００２４】
プロジェクタ１０は、液晶パネル２０を駆動する制御態様として、静止画像の表示に適する静止画モードと、動画像の表示に適する動画モードとを選択的に実行可能である。静止画モードは、前回のフレーム走査で画素電極２２２に蓄えられた電荷を、その画素電極２２２に対する次回のフレーム走査まで保持して液晶パネル２０を駆動する制御態様である。動画モードは、前回のフレーム走査で画素電極２２２に蓄えられた電荷を、その画素電極２２２に対する次回のフレーム走査の前に、一定の暗色レベルに変更して液晶パネル２０を駆動する制御態様である。本実施例では、動画モードにおける暗色レベルは、液晶パネル２０上に黒色が表示されることになる一定のレベルである。本実施例では、暗色レベルを示す信号は、液晶制御部１１０からの指示に基づいて、映像信号処理回路１２２によって映像信号に組み込まれる。
【００２５】
プロジェクタ１０は、静止画モードと動画モードとの切り替えに関する構成として、ユーザから静止画モードと動画モーとの切り替えの指示を受け付けるモード切替入力部１６２と、静止画モードと動画モードとの切り替えを制御するモード切替制御部１６０と、画素電極２２２の電荷を暗色レベルに変更するタイミングを示す暗色タイミング信号Ｔｄをゲート線駆動回路１３４に出力するタイミング調整部１１２とを備える。本実施例では、タイミング調整部１１２から出力される暗色タイミング信号Ｔｄは、液晶制御部１１０からの垂直タイミング信号Ｔｖに対して一定期間遅延して発生する。本実施例では、垂直タイミング信号Ｔｖに対する暗色タイミング信号Ｔｄの遅延は、２分の１フレーム周期である。そのため、本実施例では、画素電極２２２の電荷が暗色レベルに変更されるまで保持される電荷保持期間Ｐｒの長さは、２分の１フレーム周期となる。本実施例では、モード切替入力部１６２は、ユーザからの入力を受け付けるスイッチボタンを含む。
【００２６】
本実施例では、モード切替制御部１６０は、ＣＰＵ(Central Processing Unit)，ＲＯＭ(Read Only Memory)，ＲＡＭ(Random Access Memory)を備えるコンピュータを含む。本実施例では、モード切替制御部１６０は、静止画モードおよび動画モードの各々に対応するコモン電圧Ｖｃを示すコモン電圧設定テーブル１９０を有する。本実施例では、プロジェクタ１０の製造調整工程において、静止画モードおよび動画モードの各々に対応するフリッカの抑制に適切なコモン電圧Ｖｃが、液晶パネル２０の個々の特性に応じて求められ、それらのコモン電圧Ｖｃは、モード切替制御部１６０のコモン電圧設定テーブル１９０に格納される。
【００２７】
図３は、第１の実施例においてプロジェクタ１０のモード切替制御部１６０が実行するモード切替処理を示すフローチャートである。本実施例では、モード切替制御部１６０は、モード切替入力部１６２がユーザによって操作されると、図３のモード切替処理を開示する。本実施例では、図３のモード切替処理は、ソフトウェアに基づいてモード切替制御部１６０が動作することによって実現される。
【００２８】
プロジェクタ１０のモード切替制御部１６０は、図３のモード切替処理を開始すると、ユーザによって指定された動作モードを示すモード切替入力をモード切替入力部１６２から受け取る（ステップＳ１１０）。その後、モード切替制御部１６０は、モード切替入力が示す動作モードが静止画モードおよび動画モードのどちらであるかを判断する（ステップＳ１２０）。
【００２９】
モード切替入力が動画モードを示す場合（ステップＳ１２０）、モード切替制御部１６０は、動画モードに対応するコモン電圧Ｖｃのレベルをコモン電圧設定テーブル１９０から読み出す（ステップＳ１２２）。一方、モード切替入力が静止画モードを示す場合（ステップＳ１２０）、モード切替制御部１６０は、静止画モードに対応するコモン電圧Ｖｃのレベルをコモン電圧設定テーブル１９０から読み出す（ステップＳ１２４）。
【００３０】
モード切替入力に応じたコモン電圧Ｖｃのレベルが、コモン電圧設定テーブル１９０から読み出された後（ステップＳ１２２，Ｓ１２４）、モード切替制御部１６０は、読み出したコモン電圧Ｖｃのレベルをコモン電圧供給部１３８に設定する（ステップＳ１３０）。コモン電圧Ｖｃのレベルがコモン電圧供給部１３８に設定されると、コモン電圧供給部１３８は、モード切替制御部１６０によって設定されたレベルで、コモン電極２６２にコモン電圧Ｖｃを供給する。コモン電圧Ｖｃが設定された後、モード切替制御部１６０は、液晶制御部１１０およびタイミング調整部１１２に動作モードの切り替えを指示する（ステップＳ１４０）。
【００３１】
図４は、第１の実施例における静止画モードおよび動画モードにそれぞれ対応するコモン電圧Ｖｃのレベルを示す説明図である。本実施例では、コモン電圧Ｖｃは、静止画モードにおいてレベルＶｃ１に設定され、動画モードにおいてレベルＶｃ２に設定される。本実施例では、動画モード時におけるコモン電圧ＶｃのレベルＶｃ２は、静止画モード時におけるコモン電圧ＶｃのレベルＶｃ１よりも低い。
【００３２】
以上説明した第１の実施例におけるプロジェクタ１０によれば、静止画モードと、動画モードとの切り替えに応じて、各モードに対応するコモン電圧Ｖｃを設定することができる。これによって、暗色レベルの挿入に伴うフリッカや焼付きの発生を抑制することができる。また、暗色レベルが挿入される場合にコモン電圧Ｖｃのレベルが低くなるため、フリッカや焼付きの原因となる液晶印加電圧の歪みを軽減することができる。
【００３３】
Ｂ．第２の実施例：
図５は、第２の実施例におけるプロジェクタ１２の構成を示す説明図である。第２の実施例のプロジェクタ１２の構成は、モード切替入力部１６２に代えて、動き量検出部１６４を備える点を除き、第１の実施例のプロジェクタ１０と同様である。
【００３４】
プロジェクタ１２の動き量検出部１６４は、映像信号入力部１２０からの映像信号に基づいてフレーム画像間におけるオブジェクトの動き量Ｍｖを検出した後、検出した動き量Ｍｖを示す信号をモード切替制御部１６０に出力する。本実施例では、動き量Ｍｖの検出は、時間的に前後する二つのフレーム画像をそれぞれ複数のブロックに分割し、二つのフレーム画像間で、各ブロックに含まれる輝度データの重心座標の移動量を動きベクトルとして求め、これら各ブロックの動きベクトルの総和を求めることによって行われる。
【００３５】
図６は、第２の実施例においてプロジェクタ１２のモード切替制御部１６０が実行するモード切替処理を示すフローチャートである。本実施例では、モード切替制御部１６０は、電源投入時に初期設定を行った後、図６のモード切替処理を繰り返し実行する。本実施例では、図６のモード切替処理は、ソフトウェアに基づいてモード切替制御部１６０が動作することによって実現される。
【００３６】
プロジェクタ１２のモード切替制御部１６０は、図６のモード切替処理を開始すると、動き量検出部１６４から動き量Ｍｖを受け取る（ステップＳ２１０）。その後、モード切替制御部１６０は、動き量検出部１６４から受け取った動き量Ｍｖに基づいて電荷保持期間Ｐｒを求めた後、動き量Ｍｖに基づいて求めた電荷保持期間Ｐｒを示す信号をタイミング調整部１１２に出力して、電荷保持期間Ｐｒを設定する（ステップＳ２２０）。電荷保持期間Ｐｒがタイミング調整部１１２に設定されると、タイミング調整部１１２は、設定された電荷保持期間Ｐｒに応じて暗色タイミング信号Ｔｄを調整する。
【００３７】
電荷保持期間Ｐｒが設定された後（ステップＳ２２０）、モード切替制御部１６０は、動き量Ｍｖに基づいて求めた電荷保持期間Ｐｒに応じたコモン電圧Ｖｃのレベルを求め、電荷保持期間Ｐｒに応じて求めたコモン電圧Ｖｃのレベルをコモン電圧供給部１３８に設定する（ステップＳ２３０）。コモン電圧Ｖｃのレベルがコモン電圧供給部１３８に設定されると、コモン電圧供給部１３８は、モード切替制御部１６０によって設定されたレベルで、コモン電極２６２にコモン電圧Ｖｃを供給する。
【００３８】
図７は、第２の実施例における電荷保持期間Ｐｒとコモン電圧Ｖｃとの関係を示す説明図である。本実施例では、動き量ＭｖがレベルＭｖ３未満で静止画モードに設定され、動き量ＭｖがレベルＭｖ３以上で動画モードに設定される。本実施例では、電荷保持期間Ｐｒは、静止画モード時に期間Ｐｒ３に設定され、動画モード時に、動き量Ｍｖが増加するに従って期間Ｐｒ３から期間Ｐｒ４まで滑らかな軌跡を描いて短くなるように設定される。
【００３９】
本実施例では、動き量ＭｖがレベルＭｖ３以下で、コモン電圧ＶｃはレベルＶｃ３に設定され、動き量ＭｖがレベルＭｖ４以上で、コモン電圧ＶｃはレベルＶｃ４に設定され、動き量ＭｖがレベルＭｖ３からＭｖ４の間で、コモン電圧Ｖｃは、レベルＶｃ３とレベルＶｃ４を結ぶ軌跡を描くように設定される。本実施例では、コモン電圧ＶｃのレベルＶｃ３，Ｖｃ４は、モード切替制御部１６０のコモン電圧設定テーブル１９０に予め格納されているが、動き量ＭｖがレベルＭｖ３からＭｖ４の間におけるコモン電圧Ｖｃのレベルは、レベルＶｃ３，Ｖｃ４に基づいて補完される。例えば、動き量Ｍｖが、レベルＭＶ３とレベルＭｖ４の間のＭｖｘである場合、モード切替制御部１６０は、電荷保持期間Ｐｒとして期間Ｐｒｘを算出すると共に、コモン電圧ＶｃとしてレベルＶｃ３，Ｖｃ４とを結ぶ直線の傾きからレベルＶｃｘを算出する。
【００４０】
以上説明した第２の実施例におけるプロジェクタ１２によれば、第１の実施例と同様に、暗色レベルの挿入に伴うフリッカや焼付きの発生を抑制することができる。また、暗色レベルが挿入される場合にコモン電圧Ｖｃのレベルが低くなるため、フリッカや焼付きの原因となる液晶印加電圧の歪みを軽減することができる。
【００４１】
また、電荷保持期間Ｐｒの長さが動き量Ｍｖに基づいて設定されるため、液晶パネル２０に表示される動画像の内容に応じて、残像（動画ボケ）の発生を効果的に抑制することができる。また、動画モード時のコモン電圧Ｖｃのレベルが電荷保持期間Ｐｒの長さに応じて設定されるため、電荷保持期間Ｐｒの長さの変更に伴うフリッカや焼付きの発生を抑制することができる。また、コモン電圧設定テーブル１９０に予め格納されていないコモン電圧ＶｃのレベルＶｃｘを、コモン電圧設定テーブル１９０に予め格納されているコモン電圧ＶｃのレベルＶｃ３，Ｖｃ４に基づいて補完するため、電荷保持期間Ｐｒの長さに応じてコモン電圧Ｖｃのレベルをより詳細に設定することができる。また、動画モード時のコモン電圧Ｖｃのレベルは、電荷保持期間Ｐｒの長さが短くなるに連れて低くなるため、フリッカや焼付きの原因となる液晶印加電圧の歪みを効果的に軽減することができる。
【００４２】
Ｃ．第３の実施例：
図８は、第３の実施例におけるプロジェクタ１４の構成を示す説明図である。第３の実施例のプロジェクタ１４は、スクリーンに投影された画像の輝度Ｂｐに基づいてコモン電圧Ｖｃのレベルを調整する点を除き、第１の実施例のプロジェクタ１０と同様である。プロジェクタ１４は、第１の実施例のプロジェクタ１０の構成に加え、投影輝度検出部１６６を更に備える。プロジェクタ１４の投影輝度検出部１６６は、投影光学系部１５０によってスクリーンに投影された画像の輝度を検出し、検出された投影画像の輝度Ｂｐを示す信号をモード切替制御部１６０に出力する。本実施例では、投影輝度検出部１６６は、投影された画像の各部の輝度Ｂｐを感知するＣＣＤカメラや照度センサを含む。
【００４３】
図９は、第３の実施例においてプロジェクタ１４のモード切替制御部１６０が実行する投影輝度対応処理を示すフローチャートである。本実施例では、モード切替制御部１６０は、電源投入時に初期設定を行った後、図９の投影輝度対応処理を繰り返し実行する。本実施例では、図９の投影輝度対応処理は、ソフトウェアに基づいてモード切替制御部１６０が動作することによって実現される。
【００４４】
プロジェクタ１４のモード切替制御部１６０は、図９の投影輝度対応処理を開始すると、投影輝度検出部１６６から投影画像の輝度Ｂｐを受け取る（ステップＳ３１０）。その後、投影輝度検出部１６６から受け取った輝度Ｂｐに基づいてコモン電圧Ｖｃのレベルを調整する（ステップＳ３２０）。本実施例では、輝度Ｂｐに基づいて調整されたコモン電圧Ｖｃのレベルは、コモン電圧供給部１３８に設定されるレベルに反映されるが、他の実施形態として、コモン電圧設定テーブル１９０に格納されているレベルに反映されるとしても良い。
【００４５】
以上説明した第３の実施例におけるプロジェクタ１４によれば、第１の実施例と同様に、暗色レベルの挿入に伴うフリッカや焼付きの発生を抑制することができる。また、暗色レベルが挿入される場合にコモン電圧Ｖｃのレベルが低くなるため、フリッカや焼付きの原因となる液晶印加電圧の歪みを軽減することができる。また、投影画像の輝度Ｂｐに応じてコモン電圧Ｖｃのレベルが調整されるため、液晶パネル２０や照明光学系部１４０の経年劣化や、画像が投影されるスクリーンの状態に応じて、暗色レベルの挿入に対応したコモン電圧Ｖｃを調整することができる。
【００４６】
Ｄ．その他の実施形態：
以上、本発明の実施の形態について説明したが、本発明はこうした実施の形態に何ら限定されるものではなく、本発明の趣旨を逸脱しない範囲内において様々な形態で実施し得ることは勿論である。例えば、第２の実施例のプロジェクタ１２において、映像信号入力部１２０に入力されるデジタル映像信号が圧縮データである場合、動き量Ｍｖの検出は、デジタル映像信号の圧縮率に基づいて求めてもよい。また、第３の実施例のプロジェクタ１４において、コモン電圧設定テーブル１９０を設けることなく、投影輝度検出部１６６で検出された投影画像の輝度Ｂｐに基づくコモン電圧Ｖｃのレベルを、コモン電圧供給部１３８に設定しても良い。また、本実施例のように外部のスクリーンに画像を投影するプロジェクタではなく、スクリーンの背面から画像を投影するリアプロジェクタに本発明を適用しても良い。また、本発明は、プロジェクタに限るものではなく、液晶パネルを用いた種々の装置（例えば、液晶テレビ、液晶ディスプレイ、携帯電話、ゲーム機など）に適用することができることは勿論である。
【図面の簡単な説明】
【００４７】
【図１】第１の実施例におけるプロジェクタ１０の構成を示す説明図である。
【図２】液晶パネル２０の詳細構成を示す説明図である。
【図３】第１の実施例においてプロジェクタ１０のモード切替制御部１６０が実行するモード切替処理を示すフローチャートである。
【図４】第１の実施例における静止画モードおよび動画モードにそれぞれ対応するコモン電圧Ｖｃのレベルを示す説明図である。
【図５】第２の実施例におけるプロジェクタ１２の構成を示す説明図である。
【図６】第２の実施例においてプロジェクタ１２のモード切替制御部１６０が実行するモード切替処理を示すフローチャートである。
【図７】第２の実施例における電荷保持期間Ｐｒとコモン電圧Ｖｃとの関係を示す説明図である。
【図８】第３の実施例におけるプロジェクタ１４の構成を示す説明図である。
【図９】第３の実施例においてプロジェクタ１４のモード切替制御部１６０が実行する投影輝度対応処理を示すフローチャートである。
【符号の説明】
【００４８】
１０，１２，１４…プロジェクタ
２０…液晶パネル
２２…ガラス基板
２４…液晶層
２６…ガラス基板
１１０…液晶制御部
１１２…タイミング調整部
１２０…映像信号入力部
１２２…映像信号処理回路
１２４…Ｄ／Ａ変換器
１２６…極性反転回路
１２８…ビデオアンプ
１３２…データ線駆動回路
１３４…ゲート線駆動回路
１３８…コモン電圧供給部
１４０…照明光学系部
１５０…投影光学系部
１６０…モード切替制御部
１６２…モード切替入力部
１６４…動き量検出部
１６６…投影輝度検出部
１９０…コモン電圧設定テーブル
２２２…画素電極
２２４…ＴＦＴ
２２５…データ線
２２７…ゲート線
２６２…コモン電極
Ｖｃ…コモン電圧
Ｐｒ…電荷保持期間
Ｂｐ…輝度
Ｔｄ…暗色タイミング信号
Ｔｈ…水平タイミング信号
Ｔｖ…垂直タイミング信号
【図１】
2008070783.tif 000003
【図２】
2008070783.tif 000004
【図３】
2008070783.tif 000005
【図４】
2008070783.tif 000006
【図５】
2008070783.tif 000007
【図６】
2008070783.tif 000008
【図７】
2008070783.tif 000009
【図８】
2008070783.tif 000010
【図９】
2008070783.tif 000011